(57)【要約】【課題】作業員の技量の如何に関わらず安定した性能を発揮することができ、且つ作業工程を円滑に進めることができる断熱基礎構造とこの断熱基礎構造を施工するための方法、及び断熱基礎構造に利用して有利な係止部材とを提供する。【解決手段】断熱基礎構造は、断熱板Ｄを基礎コンクリートＢの側面に取り付けるに際し、断熱板Ｄを刺通する刺通部３と刺通部３に刺し通された断熱板Ｄを係止する係止部４を有する係止部材Ａを基礎コンクリートＢに埋設して刺通部３を側面から水平方向に突出させておき、刺通部３に断熱板Ｄを刺し通して基礎コンクリートＢに当接させて係止部４によって固定することで、断熱板Ｄを基礎コンクリートＢの側面に取り付ける。  【選択図】    図６
2007270423.tif 000002
【特許請求の範囲】
【請求項１】
板状の断熱材を基礎コンクリートの側面に取り付けた基礎断熱構造であって、板状の断熱材を刺通する刺通部と刺通部に刺し通された板状の断熱材を係止する係止部を有する係止部材を基礎コンクリートに埋設して刺通部を該基礎コンクリートの側面から水平方向に突出させておき、該刺通部に板状の断熱材を刺し通すと共に刺し通した板状の断熱材を基礎コンクリートに当接させて係止部によって固定することで、板状の断熱材を基礎コンクリートの側面に取り付けたことを特徴とする基礎断熱構造。
【請求項２】
板状の断熱材を刺通する刺通部と該刺通部に刺し通された板状の断熱材を係止する係止部を有する係止部材を上下方向及び左右方向に連続させた型枠に於ける上下又は左右の型枠の間で水平方向に所定の間隔を持って配置して係止部を型枠から突出する方向に位置させ、前記型枠にコンクリートを打設して係止部材の一部を埋設させ、該コンクリートが固化した後型枠を撤去して係止部材の刺通部が水平方向に突出した基礎コンクリートを構成し、基礎コンクリートの側面に板状の断熱材を対向させると共に刺通部を刺し通して前記側面に押し付けた後、該板状の断熱材を係止部によって固定することを特徴とする断熱基礎の施工方法。
【請求項３】
板状体からなり、少なくとも一方の端部側に先端に向けて板状の断熱材の厚さに対応した刺通部が構成され、該刺通部の先端部分に連続して長手方向に対して直交方向に形成された屈折線を有する係止部が構成されていることを特徴とする係止部材。
【請求項４】
連続して配置された型枠の間に配置され隣接する型枠の幅決め機能と基礎コンクリートの側面に板状の断熱材を取り付ける機能とを有する係止部材であって、所定の幅を持った板状体からなり、幅方向の一方側に上下又は左右に隣接して配置され且つ板状体の一方の面側に配置された一対の型枠を厚さ方向に挟んで幅決めする一方側向き折返片と、幅方向の他方側に板状体の他方の面側に配置された一対の型枠を厚さ方向に挟んで幅決めする他方側向き折返片とが形成され、板状体の長手方向の少なくとも一方に先端に向けて板状の断熱材の厚さに対応した刺通部及び該刺通部に連続させた係止部を先細状に形成するために先端側の前記折返片を含めて切除するための切取線が形成されると共に、刺通部と係止部との境界に長手方向に対して直交方向の屈折線が形成されていることを特徴とする係止部材。
【発明の詳細な説明】
【技術分野】
【０００１】
本発明は基礎コンクリートの側面に板状の断熱材を取り付けた断熱基礎構造と、この断熱基礎構造を構成するための施工方法と、この断熱基礎構造を実施する際に用いて有利な係止部材とに関するものである。
【背景技術】
【０００２】
寒冷地に建築される建物では、基礎の断熱化をはかることが行われている。基礎断熱を実現する工法の一つとして後貼り工法がある。この工法は、基礎の型枠にコンクリートを打設して固化した後、型枠を撤去することによって構成された基礎コンクリートの側面に板状の断熱材を取り付けるものである。
【０００３】
基礎コンクリートの側面に板状の断熱材を取り付ける方法としては、接着によるのが一般的である。例えば、粉体状の無機系接着剤を用い、この接着剤を水等によって練り混ぜた後、コテ等によって接着面に均等に塗布し、更に、基礎コンクリートの側面に板状の断熱材を押し当ててこの状態を所定時間保持しておくことで充分に接着させるのが一般的である（例えば非特許文献１参照）。
【０００４】
【非特許文献１】インターネットＵＲＬ:http://www.fukanoki.co.jp/images/pakkin.jpg
【発明の開示】
【発明が解決しようとする課題】
【０００５】
基礎コンクリートの側面に板状の断熱材を接着する方法では、接着面に対して接着剤を塗布する作業は建築現場で行うこととなる。このため、作業を進める作業員の技量に応じたバラツキが生じる虞を排除し得ないという問題や、接着剤を現場で練り混ぜるような場合には、練り混ぜられた接着剤自体の性能にもバラツキが生じる虞を排除し得ないという問題がある。
【０００６】
また、接着剤が硬化するまでの間、基礎コンクリートの周囲には、該基礎コンクリートに板状の断熱材を押し当てておくための構造体が設けられることとなり、他の作業の進行の妨げになるという問題や、板状の断熱材を基礎コンクリートの側面に押し当てるのに伴って、接着面の上端部分から接着剤がはみ出してしまうことがあり、この場合、はみ出した接着剤を拭き取る作業等の余分な作業が必要となる虞もある。
【０００７】
本発明の目的は、作業員の技量の如何に関わらず安定した性能を発揮することができ、且つ作業工程を円滑に進めることができる断熱基礎構造とこの断熱基礎構造を施工するための方法、及び断熱基礎構造に利用して有利な係止部材とを提供することにある。
【課題を解決するための手段】
【０００８】
上記課題を解決するために本発明に係る断熱基礎構造は、板状の断熱材を基礎コンクリートの側面に取り付けた基礎断熱構造であって、板状の断熱材を刺通する刺通部と刺通部に刺し通された板状の断熱材を係止する係止部を有する係止部材を基礎コンクリートに埋設して刺通部を該基礎コンクリートの側面から水平方向に突出させておき、該刺通部に板状の断熱材を刺し通すと共に刺し通した板状の断熱材を基礎コンクリートに当接させて係止部によって固定することで、板状の断熱材を基礎コンクリートの側面に取り付けたものである。
【０００９】
また本発明に係る基礎断熱の施工方法は、板状の断熱材を刺通する刺通部と該刺通部に刺し通された板状の断熱材を係止する係止部を有する係止部材を上下方向及び左右方向に連続させた型枠に於ける上下又は左右の型枠の間で水平方向に所定の間隔を持って配置して係止部を型枠から突出する方向に位置させ、前記型枠にコンクリートを打設して係止部材の一部を埋設させ、該コンクリートが固化した後型枠を撤去して係止部材の刺通部が水平方向に突出した基礎コンクリートを構成し、基礎コンクリートの側面に板状の断熱材を対向させると共に刺通部を刺し通して前記側面に押し付けた後、該板状の断熱材を係止部によって固定することを特徴とするものである
【００１０】
また本発明に係る第１の係止部材は、板状体からなり、少なくとも一方の端部側に先端に向けて板状の断熱材の厚さに対応した刺通部が構成され、該刺通部の先端部分に連続して長手方向に対して直交方向に形成された屈折線を有する係止部が構成されているものである。
【００１１】
また第２の係止部材は、連続して配置された型枠の間に配置され隣接する型枠の幅決め機能と基礎コンクリートの側面に板状の断熱材を取り付ける機能とを有する係止部材であって、所定の幅を持った板状体からなり、幅方向の一方側に上下又は左右に隣接して配置され且つ板状体の一方の面側に配置された一対の型枠を厚さ方向に挟んで幅決めする一方側向き折返片と、幅方向の他方側に板状体の他方の面側に配置された一対の型枠を厚さ方向に挟んで幅決めする他方側向き折返片とが形成され、板状体の長手方向の少なくとも一方に先端に向けて板状の断熱材の厚さに対応した刺通部及び該刺通部に連続させた係止部を先細状に形成するために先端側の前記折返片を含めて切除するための切取線が形成されると共に、刺通部と係止部との境界に長手方向に対して直交方向の屈折線が形成されているものである。
【発明の効果】
【００１２】
本発明に係る断熱基礎構造では、基礎コンクリートに埋設された係止部材の刺通部が基礎コンクリートの側面から水平方向に突出しているため、この刺通部に板状の断熱材（以下単に「断熱板」という）を刺し通して基礎コンクリートの側面に当接させて係止部によって係止することで、断熱板を基礎コンクリートの側面に取り付けることができる。
【００１３】
このように、断熱板を基礎コンクリートの側面に取り付ける際に断熱板を係止部材の刺通部に刺し通して係止部によって取り付けるので、作業員の技量の如何に関わらず、長期的に安定した取付状態を維持することができる。このため、安定した断熱性能を発揮することができる。
【００１４】
特に、接着剤を用いるものではないので、接着剤が硬化する間断熱板を基礎コンクリートの側面に押し当てて保持しておく必要がない。このため、断熱板を基礎コンクリートの側面に取り付ける作業が終了すると同時に、次の作業工程に進行することができ、一連の作業を遅滞なく進めることができる。
【００１５】
また本発明に係る施工方法は、上下方向、左右方向に連続させた型枠の間に係止部材を配置して該型枠から刺通部の一部と係止部を突出させておき、この型枠に打設したコンクリートが固化した後、型枠を撤去することで、基礎コンクリートの側面から係止部及び刺通部を突出させておくことができる。そして固化した基礎コンクリートの側面から突出した刺通部に断熱板を刺し通して基礎コンクリートの側面に押し付けた後、この断熱板を係止部によって固定することで、断熱板を基礎コンクリートの側面に取り付けることができる。
【００１６】
また本発明に係る第１の係止部材では、板状体の一方側の端部に断熱板の厚さに対応した刺通部が形成されるので、この刺通部に断熱板を刺し通したとき、刺し通された断熱板は一方の面が基礎コンクリートの側面に当接する。そして、刺通部の先端側に形成された屈折線を利用して係止部を屈折させることで、該係止部が断熱板の基礎コンクリートの反対側の面を係止することができ、これにより、断熱板を基礎コンクリートに取り付けることができる。
【００１７】
また本発明に係る第２の係止部材では、所定の幅を持った板状体の幅方向の一方側に上下又は左右に隣接し且つ該板状体の一方の面側に配置された一対の型枠を厚さ方向に挟んで幅決めする折返片が、幅方向の他方側に該板状体の他方の面側に配置された一対の型枠を厚さ方向に挟んで幅決めする折返片が、夫々形成されているので、上下方向、左右方向に連続させた型枠どうしの間に配置したとき、折返片によって、係止部材の板厚に対して上面側又は下面側に配置されている型枠であって対向して配置された一対の型枠を挟み込むことで、これらの型枠を幅決めすることができる。このため、複数の型枠を連続して配置することが容易となる。
【００１８】
また、板状体の長手方向の少なくとも一方側に、該板状体を断熱板の厚さに対応した刺通部と係止部を形成するために切除する切取線が形成され、更に、刺通部と係止部との境界に屈折線が形成されているので、打設されたコンクリートが固化して型枠を撤去したとき、刺通部と係止部とが基礎コンクリートの側面から水平方向に突出する。そして、板状体に形成された切取線に沿って該板状体を切除することで、先端に向けて先細状に形成された刺通部と、この刺通部に連続した係止部を形成することができる。
【００１９】
従って、本発明の第２の係止部材では、型枠の幅決め機能と、基礎コンクリートの側面に断熱板を取り付けて係止する機能とを合わせ持つことができる。このため、断熱基礎を構成する際の作業を合理的に進めることができる。
【発明を実施するための最良の形態】
【００２０】
以下、本発明に係る断熱基礎構造と施工方法、及び係止部材の好ましい実施形態について説明する。本発明に係る断熱基礎構造は、板状の断熱材を基礎コンクリートの側面に取り付ける際に、接着剤を用いることのない乾式工法を実現したものであり、基礎コンクリートの側面から水平方向に突出させた係止部材の刺通部に断熱板を刺し通して係止部で係止することで断熱板を基礎コンクリートの側面に取り付けている。
【００２１】
上記の如く、断熱板を基礎コンクリートの側面に係止部を利用して機械的に係止することによって、作業員の技量の如何に関わらず、断熱板の基礎コンクリートの側面に対する取付性能を安定させることが可能となり、長期間にわたって安定した断熱性能を発揮することが可能となる。
【００２２】
本発明に於いて、断熱板は板状の断熱材であれば特に材料を限定するものではなく、フェノール樹脂発泡体からなる断熱板や、ポリスチレンやポリエチレン等の発泡プラスチック系断熱板等の断熱板を利用することが可能である。
【００２３】
本発明の係止部材は、基礎コンクリートに固定され、該基礎コンクリートの側面から水平方向に先端部分に係止部を設けた刺通部を突出させており、この刺通部に断熱板を刺し通して係止部を利用して取り付けるものである。このため、刺通部は断熱板の厚さと略等しい寸法を持って形成されており、係止部は刺通部に刺し通された断熱板を基礎コンクリートの側面に当接させた状態を保持するのに充分な構造を持って形成されている。
【００２４】
従って、係止部材としては、上記機能を満足し得る形状と強度を有するものであれば良く、形状や構造、寸法等を特に限定するものではない。このような係止部材を構成する素材としては、薄板や細い棒があり、何れも好ましく利用することが可能である。
【００２５】
係止部材を薄板によって構成する場合、刺通部は断熱板を刺し通し易くするために先細状であることが好ましい。また係止部は先細状の先端部分を略直角に折り曲げて断熱板の表面に当接させるように構成することが好ましい。刺通部と係止部をこのように形成することによって、基礎コンクリートの側面に対向させた断熱板を該基礎コンクリートに向けて接近させる過程で刺通部に刺し通すことが可能であり、基礎コンクリートの側面に当接させた断熱板の外側の表面に折り曲げた係止部を当接させることで係止することが可能となる。
【００２６】
また係止部材を細い棒によって構成する場合、細い棒そのものを刺通部として利用し、該細い棒の先端部分に形成したねじと該ねじ部に締結する止めネジとによって係止部とすることが好ましい。このような刺通部と係止部とを構成することによって、基礎コンクリートの側面に対向させた断熱板を該基礎コンクリートに向けて接近させる過程で刺通部に刺し通すことが可能であり、基礎コンクリートの側面に当接させた断熱板の外側の表面に係止部に締結した止めねじを当接させることで係止することが可能となる。
【００２７】
係止部材は断熱板を基礎コンクリートの側面に当接させた状態を長期間保持することが必要である。このため、係止部材を構成する材料は長期間にわたり、腐食が発生したり強度が低下することのないものであることが好ましい。このような材料としては、ステンレス鋼、特にオーステナイト系ステンレス鋼がある。
【００２８】
係止部材は基礎コンクリートの側面から刺通部、係止部を水平方向に突出させる。係止部材が刺通部、係止部を水平方向に突出させた姿勢を維持するためには、該係止部材が基礎コンクリートに固定されていることが好ましい。係止部材の基礎コンクリートに対する固定構造は特に限定するものではないが、作業の容易さや長期間にわたる固定状態の維持等から、係止部材の一部が基礎コンクリートに埋設されることが好ましい。
【００２９】
係止部材を基礎コンクリートに埋設して刺通部、係止部を基礎コンクリートから突出させるためには、係止部材を隣接する型枠の間に配置するか、型枠を貫通させて刺通部、係止部を突出させることが必要となる。このため、鋼製型枠を利用して基礎を構築する場合には薄板を利用した係止部材を利用することが好ましい。また、木製型枠を利用して基礎を構築する場合にはた細い棒を利用した係止部材を利用することが可能である。
【００３０】
上記の如くして係止部材の一部を基礎コンクリートに埋設する場合、該係止部材に対向して配置された一対の型枠の幅決め機能を持たせることが好ましい。例えば、係止部材が薄板によって構成されたものである場合、薄板の幅方向の一方側に該薄板の一方の面側（例えば表面側）に折り返した例えば４つの折返片を設け、中央に位置する２つの折返片の外側の端縁間の寸法を型枠の内側の面の寸法とし、中央に位置する２つの折返片の外側の端縁と両外側に位置する折返片の内側の端縁との間の寸法を型枠のフランジ寸法とすることで、４つの折返片によって対向して配置された一対の型枠を挟むことで、該型枠の幅決めを行うことが可能である。係止部材の幅方向の他方側に前記と同様にして、該薄板の他方の面側に折り返した４つの折返片を形成することで、他方側の面に配置された一対の型枠の幅決めを行うことが可能である。従って、係止部材を挟んで隣接した型枠を夫々幅決めを行うことが可能となる。
【００３１】
薄板によって構成された係止部材では、外側に配置された折返片の位置は刺通部の位置と同じになる。また折返片を含めて刺通部とした場合、基礎コンクリートに取り付けた断熱板にはＺ字状の刺通痕が形成されることとなり、断熱板の強度が低下したり、係止部材を構成する素材による熱橋が大きくなるという虞が生じる。
【００３２】
このため、型枠に打設されたコンクリートが固化し、該型枠を撤去した後、基礎コンクリートから突出している折返片を切除して、断熱板を刺し通し易く、且つ断熱板に形成される刺通痕を可及的に小さくし、更に、断熱板の基礎コンクリートの側面に対する当接を長期間維持するのに充分な係止部を形成することが好ましい。このように、係止部材の材料を切除するための準備手段としては、切除すべき線に沿って形成された切欠線があり、予めこのような切欠線を形成しておくことで、型枠を撤去した後、断熱板の取り付けに先立って係止部材を容易に加工することが可能となる。
【００３３】
また係止部材が細い棒で構成されている場合、この細い棒にねじを形成すると共にナット、座金等を取り付けておき、対向して配置された一対の型枠に貫通させて座金を型枠の内面に当接させ、この状態で、型枠の外側から座金、ナットを取り付けて締結することで一対の型枠の幅決めを行うことが可能である。
【実施例１】
【００３４】
先ず、本発明に係る断熱基礎構造の説明に先立って、係止部材の好ましい実施例について図を用いて説明する。図１は本実施例に係る係止部材の構成を説明する要部平面図である。図２は図１の側面図と正面図である。
【００３５】
図に示す係止部材Ａは上下方向或いは左右方向に連続して配置された鋼製の型枠の間に配置され、係止部材Ａを挟んで両面に且つ夫々の面で対向して配置された型枠を幅決めする機能と、基礎コンクリートの側面に断熱板を取り付ける際に該断熱板を刺し通す機能と、基礎コンクリートの側面に当接した断熱板を係止する機能と、を有して構成されている。
【００３６】
係止部材Ａは、薄いステンレス鋼板を材料として構成されており、幅方向両側に長手方向の中心１を中心として対称位置に設けた４つの折返片２ａ〜２ｄ及び２ｅ〜２ｈを有する幅決め部２と、長手方向の少なくとも一方の端部側に配置された刺通部３と、刺通部３の先端側に連続して設けられた係止部４と、を有して構成されている。
【００３７】
本実施例では係止部材Ａの長手方向の両端側に夫々刺通部３、係止部４が形成されているが、これらは同じ形状に形成されているため、図１、２に於ける中心１の右側に形成された刺通部３、係止部４の構成について説明する。
【００３８】
幅決め部２は、折返片２ａと２ｂ、２ｃと２ｄ、２ｅと２ｆ、２ｇと２ｈの間に夫々図２に二点鎖線で示す鋼製型枠２０を挟んで位置決めする機能を有するものである。このため、折返片２ａ〜２ｄは係止部材Ａの一方側の表面（表面５ａ）側に折り返されており、折返片２ｅ〜２ｈは係止部材Ａの他方側の表面（裏面５ｂ）側に折り返されている。
【００３９】
各折返片２ａ〜２ｈに於いて、折返片２ａと２ｂ、２ｃと２ｄ、２ｅと２ｆ、２ｇと２ｈの間の寸法は鋼製型枠２０のフランジ２０ａを挟むために該フランジ２０ａの幅寸法に略等しいか大きい寸法を有している。また折返片２ｂと２ｃの外側縁の寸法、及び折返片２ｆと２ｇの外側縁の寸法は対向して配置された型枠の離隔寸法（基礎コンクリートの幅寸法）と等しい寸法を有している。
【００４０】
上記の如く構成された幅決め部２では、例えば左右方向に連続して且つ対向して配置されている鋼製型枠２０のフランジ２０ａに裏面５ｂを当接させると共に横断させ、この過程で裏面５ｂ側に折り返された折返片２ｅ〜２ｈによって対向させた一対の鋼製型枠２０のフランジ２０ａを挟み込むことで、これらの鋼製型枠２０を幅決めすることが可能である。このとき、表面５ａ側に折り返された折返片２ａ〜２ｄは上方に起立することになる。
【００４１】
次いで、既に設置されている鋼製型枠２０の上方に起立している折返片２ａ〜２ｄの間に新たな鋼製型枠２０を配置すると共に左右に連続させることで、新たに設置した鋼製型枠２０の幅決めを行うことが可能である。
【００４２】
折返片２ｂ、２ｆの外側の端縁を結んで、及び折返片２ｃ、２ｈの外側の端縁を結んで且つ係止部材Ａを横断して夫々切除線６が形成されている。この切除線６は、鋼製型枠２０に打設されたコンクリートが固化して型枠を撤去したとき、折返片２ａ、２ｄ、２ｅ、２ｈが基礎コンクリートから水平方向に突出するため、不要となる部分（本実施例の場合、断熱板を取り付ける側面とは反対側の側面に突出した部分）を切除するためのものである。
【００４３】
刺通部３は、基礎コンクリートの側面に取り付けるべき断熱板の厚さに対応した長さを有しており、該刺通部３の基点は基礎コンクリートの側面に対応する位置となる。本実施例では、係止部材Ａを横断して形成された切除線６が刺通部３の基点となり、該切除線６から断熱板の厚さｔに対応した位置に設けた係止部４との境界を構成する屈折線７までが刺通部３としての機能を有する。
【００４４】
また係止部材Ａに於ける屈折線７の先端側には係止部４が形成されている。この係止部４は、屈折線７を基点として係止部材Ａの先端部分を屈折させて断熱板の表面を係止するように構成されている。このため、係止部材Ａの長手方向の端部から屈折線７を通過してスリット８が形成されており、該スリット８によって係止部材Ａには二つの係止片４ａが形成されている。
【００４５】
係止片４ａの長さ（屈折線７から係止部材Ａの端部までの長さ）は特に限定するものではなく、屈折線７を基点として係止片４ａを屈折させたとき、該係止片４ａが断熱板の表面を安定した状態で係止し得る長さであれば良い。
【００４６】
本実施例に於いて、型枠のフランジの幅寸法よりも断熱板の厚さｔの方が大きい寸法を有しており、係止部材Ａに於ける刺通部３に対応する部分には折返片２ｄ、２ｈが存在する。このため、刺通部３の断面形状はＺ字状となり、断熱板を刺し通すことは可能であるものの、前述したように断熱板に対する刺通痕が大きくなり熱橋が大きくなる虞が生じる。
【００４７】
従って、係止部材Ａには、折返片２ｄの折返片２ｃ側の端縁を基点として長手方向の端部に向けて切除線９ａが形成され、折返片２ｈの折返片２ｇ側の端縁を基点として長手方向の端部に向けて切除線９ｂが形成されている。切除線９ａ、９ｂは係止部材Ａの端部に向けて互いに接近する方向に斜めに形成されており、これらの切除線９ａ、９ｂによって、係止部材Ａに先細状の刺通部３が形成されると共に該刺通部３に連続して係止部４が形成される。
【００４８】
上記した切除線６、９ａ、９ｂは、係止部材Ａの素材に対して所定の間隔と長さを持って形成された複数のＶ溝によって構成されており、外部から係止部材Ａを表面５ａ、裏面５ｂの方向に折れ曲がるように交互に力を掛けることで破断させて切除し得るように構成されている。しかし、切除線６、９ａ、９ｂの形状はこの例に限定すべきものではなく、例えばレーザ切断等の手段を利用して厚さ方向に貫通させた切断溝によって、或いは前記切断溝と肉厚を薄くさせたＶ溝とを交互に形成して、構成することが可能であり、何れの形状にするかは加工手段等を考慮して適宜選択することが好ましい。
【００４９】
尚、図に於いて、１０は厚さ方向に貫通して形成されたくさび穴であり、コンクリートを打設したときに型枠が外側に膨れるのを防ぐためにくさびを差し込むための穴である。
【００５０】
また、係止部材Ａの幅方向の寸法は特に限定するものではないが、型枠間にコンクリートを打設する際に必要な、打設作業やバイブレータによる脱泡作業の邪魔になることがないような寸法であることが好ましい。
【実施例２】
【００５１】
次に、上記の如く構成された係止部材Ａを利用した断熱基礎構造と、この断熱基礎構造を施工する方法について図を用いて説明する。図３は型枠のフランジに係止部材Ａを取り付けて幅決めを行っている状態を説明する図である。図４は上下方向に連続して配置された型枠の間に係止部材Ａを配置した状態を説明する図である。図５は基礎コンクリートの側面から突出した係止部材Ａに断熱板を取り付けると共に係止する手順を模式的に説明する図である。図６は断熱基礎構造を説明する模式図である。
【００５２】
図５に示すように、係止部材Ａは基礎コンクリートＢに埋設されて刺通部３、係止部４が水平方向に突出する。このため、基礎コンクリートＢを構成するための型枠Ｃは、上下方向及び左右方向に複数の鋼製型枠２０を連続させて構成されている。そして、係止部材Ａは、上下方向に隣接した鋼製型枠２０の間、又は左右方向に隣接した鋼製型枠２０の間に配置され、これらの隣接した鋼製型枠２０の幅決めを行うと共に、該鋼製型枠２０から係止部４を突出させている。
【００５３】
特に、上下方向に隣接した鋼製型枠２０の間に係止部材Ａを配置したとき、係止部材Ａは表面５ａが上向きになって鋼製型枠２０のフランジ２０ａから少なくとも係止部４が水平方向に突出し、左右方向に隣接した鋼製型枠２０の間に係止部材Ａを配置したとき、係止部材Ａの表面５ａが横向きになって少なくとも係止部４が鋼製型枠２０から水平方向に突出する。
【００５４】
本実施例では、係止部材Ａの表面５ａが上向きになるように、上下方向に隣接した鋼製型枠２０の間に係止部材Ａを配置してこれらの鋼製型枠２０の幅決めを行っている。
【００５５】
図２に示すように、下側に対向して配置された一対の鋼製型枠２０のフランジ２０ａに跨がって係止部材Ａが配置されている。このとき、係止部材Ａの幅方向に形成された折返片２ｅ、２ｆによって一方の鋼製型枠２０のフランジ２０ａが挟まれ、折返片２ｇ、２ｈによって他方の鋼製型枠２０のフランジ２０ａが挟まれる。これにより、下側に配置された鋼製型枠１０の幅決めを行うことが可能である。
【００５６】
鋼製型枠２０に対して配置する係止部材Ａのピッチや数は特に限定するものではないが、基礎コンクリートＢに取り付けるべき断熱板Ｄに対応させることが好ましい。例えば、断熱板Ｄの長さが約１２００ｍｍである場合には３個所〜４個所であることが好ましく、約６００ｍｍである場合には２個所で良く、更に約３００ｍｍの場合には１個所で良い。
【００５７】
上記の如くして下側に対向して配置された一対の鋼製型枠２０のフランジ２０ａに所定の間隔を持って複数の係止部材Ａを配置した後、上部に上側に夫々対向させて一対の型枠２０を配置してゆく、このとき、上側に配置される鋼製型枠２０は下側のフランジ２０ａを夫々折返片２ａ、２ｂの間、折返片２ｃ、２ｄの間に挿入するように配置してゆく。
【００５８】
上下に連続して配置された鋼製型枠２０は、係止部材Ａに設けた穴１０にくさび１１を打ち込むことで互いのフランジ２０ａの端部の位置が規定される。また上下に隣接する鋼製型枠２０との間をクリップ２１によって挟んで固定する。更に、左右に連続する鋼製型枠２０をクランプ２２によってクランプして固定する。最も上部に配置された鋼製型枠２０のフランジ２０ａには図示しない定規プレートが取り付けられて幅決めがなされる。このようにして、上下、左右に連続した鋼製型枠２０を互いに固定することによって、型枠Ｃを構成することが可能である。
【００５９】
上記の如くして構成された型枠Ｃに対し、通常の作業と同様にして、上方からコンクリートを打設し脱泡した後、所定の養生期間を経てコンクリートが固化した後、型枠Ｃを構成する鋼製型枠２０を順に撤去する。
【００６０】
型枠Ｃが脱型されたとき、図５（ａ）に示すように、係止部材Ａは切除線６から端部側が露出する。即ち、折返片２ｄ、２ｈを含む刺通部３、係止部４が基礎コンクリートＢの側面から水平方向に突出する。そして、切除線９ａ、９ｂを基点として折返片２ｄ、２ｈを交互に折り返すことで、夫々の折返片２ｄ、２ｈを切除線９ａ、９ｂに沿って切除する。
【００６１】
上記の如くして切除線９ａ、９ｂに沿って不要部分を切除することによって、係止部材Ａの長手方向の端部は先端に向けて先細状に形成され、基礎コンクリートＢの側面から略屈折線７までの間に刺通部３が、屈折線７の先端側にスリット８によって形成された二つの係止片４ａからなる係止部４が、夫々連続して構成される。
【００６２】
上記の如くして先細状の刺通部３、係止部４が突出した基礎コンクリートＢの側面に断熱板Ｄを対向させ、この状態で基礎コンクリートＢの側面に接近させる。この過程で、係止部４、刺通部３が順に断熱板Ｄを刺し通し、更なる接近によって、断熱板Ｄが基礎コンクリートＢの側面に当接する。
【００６３】
断熱板Ｄが基礎コンクリートＢの側面に当接したとき、断熱板Ｄからは係止部材Ａの頸部４を構成する係止片４ａが突出する。更に、断熱板Ｄを基礎コンクリートＢの側面に対する押し付けを保持した状態で、係止片４ａを屈折線７を基点として折り曲げ、各係止片４ａを断熱板Ｄの表面に圧接させる。
【００６４】
これにより、断熱板Ｄは図６に示すように基礎コンクリートＢの側面に取り付けられる。
【実施例３】
【００６５】
次に、細い棒によって構成した係止部材Ｅと、この係止部材Ｅによって基礎コンクリートＢの側面に断熱板Ｄを取り付ける手順について図を用いて説明する。図７は係止部材によって型枠を幅決めする構成を説明する図である。図８は基礎コンクリートに断熱板を取り付ける手順を説明する図である。
【００６６】
本実施例の係止部材Ｅは、ネジ棒２５を利用して構成されている。図７に示すように、係止部材Ｅは、一般的に利用されている木製型枠２６の幅決めを行うセパレータをねじ棒２５によって構成すると共に、該ねじ棒２５を一方側の木製型枠２６を貫通して配置し得るように構成されている。そして、ねじ棒２５の先端側に横ばた２７、フォームタイ２８を配置してナット２９によって締結することで、対向して配置された一対の木製型枠２６の幅決めを行うことが可能である。
【００６７】
木製型枠２６に打設したコンクリートが固化して該木製型枠２６を撤去すると、図８に示すように、基礎コンクリートＢの側面からねじ棒２５が水平方向に突出する。本実施例では、突出したねじ棒２５の一部が刺通部として機能し、該ねじ棒２５の先端部分と止めねじ３０とが係止部として機能する。
【００６８】
従って、図８（ａ）に示すように、ねじ棒２５が突出した基礎コンクリートＢの側面に断熱板Ｄを対向させて接近させると、この接近過程でねじ棒２５が断熱板Ｄを刺し通す。更に断熱板Ｄを基礎コンクリートＢの側面に接近させることで当接させた後、同図（ｂ）に示すように、座金３１、止めねじ３０をねじ棒２５に取り付けて該止めねじ３０を締結することで、断熱板Ｄは基礎コンクリートＢの側面に強固に取り付けられる。
【産業上の利用可能性】
【００６９】
上記本発明では、基礎コンクリートの側面に断熱板を取り付ける際に、接着剤を用いることのない乾式工法とすることによって、作業員の技量に左右されることなく、安定した取り付け性能を発揮することが可能である。このため、基礎コンクリートの断熱構造のみならず、鉄筋コンクリート造の建物の壁面に利用することも可能である。
【図面の簡単な説明】
【００７０】
【図１】本実施例に係る係止部材の構成を説明する要部平面図である。
【図２】図１の側面図と正面図である。
【図３】型枠のフランジに係止部材Ａを取り付けて幅決めを行っている状態を説明する図である。
【図４】上下方向に連続して配置された型枠の間に係止部材Ａを配置した状態を説明する図である。
【図５】基礎コンクリートの側面から突出した係止部材Ａに断熱板を取り付けると共に係止する手順を模式的に説明する図である。
【図６】断熱基礎構造を説明する模式図である。
【図７】係止部材によって型枠を幅決めする構成を説明する図である。
【図８】基礎コンクリートに断熱板を取り付ける手順を説明する図である。
【符号の説明】
【００７１】
Ａ、Ｅ                    係止部材
Ｂ                        基礎コンクリート
Ｃ                        型枠
Ｄ                        断熱板
１                        中心
２                        幅決め部
２ａ〜２ｈ                折返片
３                        刺通部
４                        係止部
４ａ                      係止片
５ａ                      表面
５ｂ                      裏面
６                        切除線
７                        屈折線
８                        スリット
９ａ、９ｂ                切除線
１０                      くさび穴
１１                      くさび
２０                      鋼製型枠
２０ａ                    フランジ
２１                      クリップ
２２                      クランプ
２５                      ネジ棒
２６                      木製型枠
２７                      横ばた
２８                      フォームタイ
２９                      ナット
３０                      止めねじ
３１                      座金
【図１】
2007270423.tif 000003
【図２】
2007270423.tif 000004
【図３】
2007270423.tif 000005
【図４】
2007270423.tif 000006
【図５】
2007270423.tif 000007
【図６】
2007270423.tif 000008
【図７】
2007270423.tif 000009
【図８】
2007270423.tif 000010